(57)【要約】 【課題】  聴取させたくない自通話音声信号に対しミュート作用等を与える。【解決手段】  通話中に通話相手に対して自通話音声を聴取させたくないとき、ミュートスイッチ１８２を切替端子１８２１へ切り替える。マイク１８１から自通話音声信号は、携帯電話機本体１２へ供給されず、自通話音声は通話相手によって聴取されない。【選択図】      図２
2006174007.tif 000002
【特許請求の範囲】
【請求項１】
音−電気変換器の出力に音声信号送受信手段の送信入力を接続している電話装置であって、
前記音−電気変換器の出力と前記音声信号出力手段の入力との間に、前記音−電気変換器から出力される信号の信号値を所定の値に低減させるミュート手段を備えたことを特徴とする電話装置。
【請求項２】
前記ミュート手段は、信号値可変手段であることを特徴とする請求項１記載の電話装置。
【請求項３】
前記信号値可変手段は、前記音−電気変換器の出力間に接続されたスイッチであることを特徴とする請求項２記載の電話装置。
【請求項４】
前記信号値可変手段は、前記音−電気変換器の出力と前記音声信号送受信手段の送信入力との間に介設された可変抵抗であることを特徴とする請求項２記載の電話装置。
【請求項５】
前記信号値可変手段は、前記音−電気変換器の出力と前記音声信号送受信手段の送信入力との間に介設された信号値調整付きオペアンプであることを特徴とする請求項２記載の電話装置。
【請求項６】
前記ミュート手段は、前記音−電気変換器の出力信号に基づいて動作する手段であることを特徴とする請求項１記載の電話装置。
【請求項７】
前記ミュート手段は、前記音−電気変換器の出力端に接続されたミュートモード切替スイッチと、該ミュートモード切替スイッチに接続された信号レベル検出手段と、該信号レベル検出手段の出力に接続されたタイマと、該タイマのミュート機能オン信号により作動されるミュートスイッチとを備えることを特徴とする請求項６記載の電話装置。
【請求項８】
前記タイマの出力に接続されたミュート報知回路と、該ミュート報知回路の出力と前記音声信号送受信手段の受信出力とに接続された合成回路とを備え、該合成回路の出力は電気−音変換器の入力に接続されることを特徴とする請求項７記載の電話装置。
【請求項９】
前記音−電気変換器は、有線で前記音声信号送受信手段の送信入力に前記ミュート手段を介して接続されたマイクロホンであることを特徴とする請求項１乃至８のいずれか一に記載の電話装置。
【請求項１０】
前記音−電気変換器は、無線で前記音声信号送受信手段の送信入力に前記ミュート手段を介して接続されたマイクロホンであることを特徴とする請求項１乃至８のいずれか一に記載の電話装置。
【請求項１１】
マイクロホンの出力を電話装置の音声信号送受信手段の送信入力に接続するイヤホンマイクセットであって、
前記マイクロホンの出力と前記音声信号送受信手段の送信入力との間に、前記マイクロホンから出力される信号の信号値を所定の値に低減させるミュート手段を備えたことを特徴とするイヤホンマイクセット。
【請求項１２】
前記ミュート手段は、信号値可変手段であることを特徴とする請求項１１記載のイヤホンマイクセット。
【請求項１３】
前記信号値可変手段は、前記マイクロホンの出力間を短絡するスイッチであることを特徴とする請求項１１記載のイヤホンマイクセット。
【請求項１４】
前記信号値可変手段は、前記マイクロホンの出力と前記音声信号送受信手段の送信入力との間に接続された可変抵抗であることを特徴とする請求項１１記載のイヤホンマイクセット。
【請求項１５】
前記信号値可変手段は、前記マイクロホンの出力と前記音声信号送受信手段の送信入力との間に接続された信号値調整付きオペアンプであることを特徴とする請求項１１記載のイヤホンマイクセット。
【請求項１６】
前記ミュート手段は、前記マイクロホンの出力信号に基づいて動作する手段であることを特徴とする請求項１１記載のイヤホンマイクセット。
【請求項１７】
前記ミュート手段は、前記マイクロホンの出力端に接続されたミュートモード切替スイッチと、該ミュートモード切替スイッチに接続された信号レベル検出手段と、該信号レベル検出手段の出力に接続されたタイマと、該タイマのミュート機能オン信号により作動されるミュートスイッチとを備えることを特徴とする請求項１６記載のイヤホンマイクセット。
【請求項１８】
前記タイマの出力に接続されたミュート報知回路と、該ミュート報知回路の出力と前記音声信号送受信手段の受信出力とに接続された合成回路とを備え、該合成回路の出力は電気−音変換器の入力に接続されることを特徴とする請求項１７記載のイヤホンマイクセット。
【請求項１９】
前記マイクロホンは、有線で前記音声信号送受信手段の送信入力に前記ミュート手段を介して接続されることを特徴とする請求項１１乃至１８のいずれか一に記載のイヤホンマイクセット。
【請求項２０】
前記マイクロホンは、無線で前記音声信号送受信手段の送信入力に前記ミュート手段を介して接続されることを特徴とする請求項１１乃至１８のいずれか一に記載のイヤホンマイクセット。
【発明の詳細な説明】
【技術分野】
【０００１】
この発明は、電話装置及びイヤホンマイクセットに関し、詳しくは通話中に自己の通話音声信号を通話相手に聴取させたくないときその通話音声信号を送信させず、かつ、その通話音声信号の折り返しを防止する電話装置及びイヤホンマイクセットに関する。
【背景技術】
【０００２】
従来のイヤホンマイクセットを使用した携帯電話機（以下、従来の携帯電話機例という）は、図７に示すように、携帯電話機本体１２にイヤホンマイクセット２４を接続して構成される。
そのイヤホンマイクセット２４は、インタフェース部１６と、マイク部２８と、イヤホン部２０と、インタフェース部１６、マイク部２８及びイヤホン部２０を接続するケーブル２２とから構成されている。
【０００３】
インタフェース部１６は、コネクタで構成され、図８に示すように、ケーブル２２の芯線２２１と芯線２２２とを図示しない携帯電話機本体のマイク用増幅器の入力に接続する一方、ケーブル２２の芯線２２１と芯線２２３とを図示しない携帯電話機本体のイヤホン用増幅器の出力に接続するインタフェース１６１を有する。
マイク部２８は、図８に示すように、マイク１８１を有し、マイク１８１の第１の出力端子は、芯線２２１を介してインタフェース１６１を構成するコネクタの第１の接続端子に接続され、第２の出力端子は、コネクタの第２の接続端子に接続されている。
【０００４】
イヤホン部２０は、図８に示すように、イヤホン２０１の一方の入力端子を芯線２２３に接続する一方、他方の入力端子を芯線２２１に接続している。芯線２２３は、インタフェース１６１を構成するコネクタの第３の接続端子に接続されている。
なお、携帯電話機本体１２には、マイク１７及びスピーカ１９が設けられているが、イヤホンマイクセット１４の接続により、マイク１７及びスピーカ１９の機能は無効にされる。
上述のように構成されるイヤホンマイクセットを使用して携帯電話機による通話を行うことができるので、携帯電話機の利便性をイヤホンマイクセットにより向上させている。
【０００５】
上述した従来のイヤホンマイクセットのマイク１８１の第１の出力端子は、芯線２２１、そしてコネクタの第１の接続端子を経て図示しない携帯電話機本体のマイク用アンプの第１の入力端子に接続され、第２の出力端子は、芯線２２２、そしてコネクタの第２の接続端子を経て図示しない携帯電話機本体のマイク用アンプの第２の入力端子に接続されている。
この構成上、マイク１８１で集音される音声信号等は、すべて相手へ送信されることになる。
したがって、通信中に自音声を相手に聞かせたくない場合であっても、その自音声は相手に聞かれてしまうという不具合がある。
【０００６】
また、イヤホン部２０の第１の入力端子は、芯線２２３、そしてコネクタの第３の接続端子を経て図示しない携帯電話機本体のイヤホン用アンプの第１の出力端子に接続され、第２の入力端子は、芯線２２１、そしてコネクタの第１の接続端子を経て図示しない携帯電話機本体のイヤホン用アンプの第２の出力端子に接続されている。
上記の構成によれば、イヤホンマイクセットの送話系と受話系とは、電気的に独立に構成されている。
しかし、イヤホンマイクセットを接続する携帯電話機本体内の送話系と受話系との間に規格上必要である電気的な結合があるため、通話音声信号がイヤホンマイクセットのイヤホンで聴取されてしまうのを避けることができない。
【０００７】
上述した従来の携帯電話機例には、上述のような不具合があるが、これを回避する手段も知られている。
従来、携帯電話機等で通話中に相手に聞かせたくない通話音声信号を送出させないようにする手段の例として、携帯電話機本体で保留する手段やイヤホンマイクセット内で保留する手段が知られている。
この後者の例は、例えば、特許文献１に記載されている。
【０００８】
特許文献１に記載される技術は、イヤホンマイクセットを構成する集合部に保留音発生部を設け、通話の保留をしたい場合にマイクロホンに代えて保留音発生部の保留音信号をイヤホンマイクセットの出力信号として送出するようにして構成される。
【０００９】
また、特許文献２には、通話音声信号自体をミュートする技術が記載されている。この技術は、ミュート起動信号をミュート回路に与えてミュート回路に入力されるマイクロホンからの通話音声信号をミュートするものである。そのミュート起動信号は、リモートユニツトの所定のボタンを操作して発生される信号をＣＰＵで受け取り、そのＣＰＵにおいて生成される信号である。
【００１０】
【特許文献１】特開平９−５１３６９号公報
【特許文献２】特開平１０−２４８０８９号公報
【発明の開示】
【発明が解決しようとする課題】
【００１１】
上記特許文献１では、保留音信号を発生させ、発生された保留音信号が相手に送信されてしまうので、複数通話の際には、それら相手方の会話の邪魔になる。
また、上記特許文献２では、リモートユニツトでのボタン操作を必要とし、その操作に応答して通話制御ユニツト内のＣＰＵを作動させてＣＰＵでミュート起動信号を生成し、生成されたミュート起動信号で通話制御ユニツトとマイクとの間に設けられたミュート回路を作動させている。これに加えて、この技術でのミュートは、ユーザの通話音声の発生と直接的な関係なしにミュート起動信号を発生させる仕組みを採用している。
【００１２】
この発明は、上述の事情に鑑みてなされたもので、通話中に自己の通話音声信号を通話相手に聴取させたくないときその通話音声信号の送信阻止やその通話音声信号の折り返し防止に役立つ電話装置及びイヤホンマイクセットを提供することを目的としている。
【課題を解決するための手段】
【００１３】
上記課題を解決するために、請求項１記載の発明は、音−電気変換器の出力に音声信号送受信手段の送信入力を接続している電話装置に係り、上記音−電気変換器の出力と上記音声信号出力手段の入力との間に、上記音−電気変換器から出力される信号の信号値を所定の値に低減させるミュート手段を備えたことを特徴としている。
【００１４】
請求項２記載の発明は、請求項１記載の電話装置に係り、上記ミュート手段は、信号値可変手段であることを特徴としている。
【００１５】
請求項３記載の発明は、請求項２記載の電話装置に係り、上記信号値可変手段は、上記音−電気変換器の出力間に接続されたスイッチであることを特徴としている。
【００１６】
請求項４記載の発明は、請求項２記載の電話装置に係り、上記信号値可変手段は、上記音−電気変換器の出力と上記音声信号送受信手段の送信入力との間に介設された可変抵抗であることを特徴としている。
【００１７】
請求項５記載の発明は、請求項２記載の電話装置に係り、上記信号値可変手段は、上記音−電気変換器の出力と上記音声信号送受信手段の送信入力との間に介設された信号値調整付きオペアンプであることを特徴としている。
【００１８】
請求項６記載の発明は、請求項１記載の電話装置に係り、上記ミュート手段は、上記音−電気変換器の出力信号に基づいて動作する手段であることを特徴としている。
【００１９】
請求項７記載の発明は、請求項６記載の電話装置に係り、上記ミュート手段は、上記音−電気変換器の出力端に接続されたミュートモード切替スイッチと、該ミュートモード切替スイッチに接続された信号レベル検出手段と、該信号レベル検出手段の出力に接続されたタイマと、該タイマのミュート機能オン信号により作動されるミュートスイッチとを備えることを特徴としている。
【００２０】
請求項８記載の発明は、請求項７記載の電話装置に係り、上記タイマの出力に接続されたミュート報知回路と、該ミュート報知回路の出力と上記音声信号送受信手段の受信出力とに接続された合成回路とを備え、該合成回路の出力は電気−音変換器の入力に接続されることを特徴としている。
【００２１】
請求項９記載の発明は、請求項１乃至８のいずれか一に記載の電話装置に係り、上記音−電気変換器は、有線で上記音声信号送受信手段の送信入力に上記ミュート手段を介して接続されたマイクロホンであることを特徴としている。
【００２２】
請求項１０記載の発明は、請求項１乃至８のいずれか一に記載の電話装置に係り、上記音−電気変換器は、無線で上記音声信号送受信手段の送信入力に上記ミュート手段を介して接続されたマイクロホンであることを特徴としている。
【００２３】
請求項１１記載の発明は、マイクロホンの出力を電話装置の音声信号送受信手段の送信入力に接続するイヤホンマイクセットに係り、上記マイクロホンの出力と上記音声信号送受信手段の送信入力との間に、上記マイクロホンから出力される信号の信号値を所定の値に低減させるミュート手段を備えたことを特徴としている。
【００２４】
請求項１２記載の発明は、請求項１１記載のイヤホンマイクセットに係り、上記ミュート手段は、信号値可変手段であることを特徴としている。
【００２５】
請求項１３記載の発明は、請求項１１記載のイヤホンマイクセットに係り、上記信号値可変手段は、上記マイクロホンの出力間を短絡するスイッチであることを特徴としている。
【００２６】
請求項１４記載の発明は、請求項１１記載のイヤホンマイクセットに係り、上記信号値可変手段は、上記マイクロホンの出力と上記音声信号送受信手段の送信入力との間に接続された可変抵抗であることを特徴としている。
【００２７】
請求項１５記載の発明は、請求項１１記載のイヤホンマイクセットに係り、上記信号値可変手段は、上記マイクロホンの出力と上記音声信号送受信手段の送信入力との間に接続された信号値調整付きオペアンプであることを特徴としている。
【００２８】
請求項１６記載の発明は、請求項１１記載のイヤホンマイクセットに係り、上記ミュート手段は、上記マイクロホンの出力信号に基づいて動作する手段であることを特徴としている。
【００２９】
請求項１７記載の発明は、請求項１６記載のイヤホンマイクセットに係り、上記ミュート手段は、上記マイクロホンの出力端に接続されたミュートモード切替スイッチと、該ミュートモード切替スイッチに接続された信号レベル検出手段と、該信号レベル検出手段の出力に接続されたタイマと、該タイマのミュート機能オン信号により作動されるミュートスイッチとを備えることを特徴としている。
【００３０】
請求項１８記載の発明は、請求項１７記載のイヤホンマイクセットに係り、上記タイマの出力に接続されたミュート報知回路と、該ミュート報知回路の出力と上記音声信号送受信手段の受信出力とに接続された合成回路とを備え、該合成回路の出力は電気−音変換器の入力に接続されることを特徴としている。
【００３１】
請求項１９記載の発明は、請求項１１乃至１８のいずれか一に記載のイヤホンマイクセットに係り、上記マイクロホンは、有線で上記音声信号送受信手段の送信入力に上記ミュート手段を介して接続されることを特徴としている。
【００３２】
請求項２０記載の発明は、請求項１１乃至１８のいずれか一に記載のイヤホンマイクセットに係り、上記マイクロホンは、無線で上記音声信号送受信手段の送信入力に上記ミュート手段を介して接続されることを特徴としている。
【発明の効果】
【００３３】
この発明によれば、音−電気変換器の出力に音声信号送受信手段の送信入力を接続している電話装置の音−電気変換器の出力と音声信号出力手段の入力との間に、音−電気変換器から出力される信号の信号値を所定の値に低減させるミュート手段を備えているので、音−電気変換器を手等で塞ぐことなしに、ハンズフリーの利便性を享受しつつ通話音声信号の相手への送信を阻止することができる。
この阻止は、自通話音声信号に対してのみ行われるものであるから、相手側の通話音声信号は電気−音変換器で変換し、その通話音声を聴取することができる。これは、複数人による通話の際に相手方の通話音声の聴取の妨げには少しもならないという効果を奏する。
【００３４】
また、ミュート手段により自通話音声信号を大幅に低減されるので、自通話音声信号の折り返しが無くなり、相手からの通話音声を明瞭に聴取することができる。
また、ミュート手段の出力信号に基づいてミュート報知信号を発生し、このミュート報知信号を受信通話音声信号と合成して電気−音変換器に供給するようにすると、ミュート状態にあることを認識することができる。
【発明を実施するための最良の形態】
【００３５】
この発明は、音−電気変換器の出力に音声信号送受信手段の送信入力を接続している電話装置の音−電気変換器の出力と音声信号出力手段の入力との間に、音−電気変換器から出力される信号の信号値を所定の値に低減させるミュート手段を備えて構成される。
【実施例１】
【００３６】
図１は、この発明の実施例１である携帯電話機の電気的構成を示す図、また、図２は、同携帯電話機の発明特徴部分を詳細に示す図である。
この実施例の携帯電話機１は、自通話音声信号を相手に聞かせたくないとき自通話音声信号を相手に送信しない一方、相手の音声信号を明瞭に聴取し得る携帯電話機に係り、図１及び図２に示すように、携帯電話機本体１２にイヤホンマイクセット１４を接続して成り、そのイヤホンマイクセット１４は、インタフェース部１６と、マイク部１８と、イヤホン部２０と、インタフェース部１６、マイク部１８及びイヤホン部２０を接続するケーブル２２とから構成されている。
【００３７】
インタフェース部１６は、図２に示すように、ケーブル２２の芯線２２１と芯線２２２とを図示しないマイク用増幅器の入力に接続する一方、ケーブル２２の芯線２２１と芯線２２３とを図示しないイヤホン用増幅器の出力に接続するインタフェース１６１を有する。
マイク部１８は、図２に示すように、マイク１８１と、ミュートスイッチ１８２とから構成されている。マイク１８１の第１の出力端子は、芯線２２１を介してインタフェース１６１を構成するコネクタの第１の接続端子に接続され、第２の出力端子は、芯線２２２を介してコネクタの第２の接続端子に接続されている。
芯線２２１は大地電位（ＧＮＤ）に接続され、芯線２２１と芯線２２２とが信号線を構成している。
【００３８】
その芯線２２２には、ミュートスイッチ１８２が介設されておって、そのミュートスイッチ１８２は、切替接点１８２１と切替接点１８２２との間で切り替えられるように構成されている。
イヤホン部２０は、図２に示すように、イヤホン２０１の一方の入力端子を芯線２２３に接続する一方、他方の入力端子を芯線２２１に接続している。芯線２２３には、インタフェース１６１を構成するコネクタの第３の接続端子に接続されている。
なお、携帯電話機本体１２には、マイク１７及びスピーカ１９が設けられているが、イヤホンマイクセット１４の接続により、マイク１７及びスピーカ１９の機能は無効にされる。
【００３９】
次に、図１及び図２を参照して、この実施例の動作について説明する。
ユーザが、イヤホンマイクセット１４のインタフェース部１６を携帯電話機本体１２の接続部に接続し、ミュートスイッチ１８２を切替接点１８２２側に切り替えた状態にしてイヤホンマイクセット１４を用いての通話中に、その通話音声を相手に聞かせたくないとき、ミュートスイッチ１８２を切替接点１８２１側に切り替える。
これにより、マイク１８１の信号線は、大地電位に接続されるため、通話音声信号はミュートされて通話音声が相手に聴取されるのを防止し得る。
【００４０】
このミュート状態においても、相手からの通話音声信号は、ミュートスイッチ１８２の上記切り替えとは無関係にあるから、上記切り替えにより何らの影響を受けることなく、イヤホン２０１に入力される相手の通話音声を明瞭に聴取することができる。
このミュートを終了させたい場合には、ミュートスイッチ１８２を切替接点１８２１側から切替接点１８２２側に切り替える。自通話音声信号は、ミュートされることなく、相手へ送信されて自通話音声は相手によって聴取される。
【００４１】
このように、この実施例の構成によれば、ミュートスイッチにより自通話音声信号を大地電位に落としているから、マイクを手等で塞ぐことなしに、ハンズフリーの利便性を享受しつつ通話音声信号の相手への送信を阻止することができる。
この阻止は、自通話音声信号に対してのみ行われるものであるから、相手側の通話音声信号はイヤホンで変換し、その通話音声を聴取することができる。これは、複数人による通話の際に相手方の通話音声の聴取の妨げには少しもならないという効果を奏する。
また、ミュートスイッチにより自通話音声信号の信号線が大地電位に落とされるので、自通話音声信号の折り返しが無くなり、相手からの通話音声を明瞭に聴取することができる。
【実施例２】
【００４２】
図３は、この発明の実施例２である携帯電話機の発明特徴部分を詳細に示す図である。
この実施例の構成が、実施例１のそれと大きく異なる点は、イヤホンマイクセットの手元で音量調整を行い得るようにした点である。
すなわち、この実施例の携帯電話機１Ａのイヤホンマイクセット１４Ａは、図３に示すように、マイク１８１との信号線であるケーブル２２の芯線２２２に可変抵抗１８３を介設して構成される。
この構成以外のこの実施例の構成は、実施例１と同じであるので、同一の構成部分には同一の参照符号を付して、その逐一の説明は省略する。
【００４３】
次に、図３を参照して、この実施例の動作について説明する。
ユーザが、イヤホンマイクセット１４Ａのインタフェース部１６のインタフェース１６１を携帯電話機本体１２の接続部に接続して可変抵抗１８３の抵抗値を所望の値、例えば、零にした状態にし、イヤホンマイクセット１４Ａを用いての通話中に、その通話音声を相手に聞かせたくないとき、可変抵抗１８３の抵抗値を所定の大きな値、例えば、最大値に設定する。
これにより、マイク１８１の信号線から出力される自通話音声信号の大きさが、大幅に減衰されるため、通話音声信号に対してミュート作用が働いて通話音声が相手に聴取されるのを防止し得る。
【００４４】
この実施例のミュート状態においても、相手からの通話音声信号は、可変抵抗の調整状態とは無関係にあるから、上記調整により何らの影響を受けることなく、イヤホン２０１に入力され、相手の通話音声を明瞭に聴取することができる。
このミュートを終了させたい場合には、可変抵抗１８３の抵抗値を大幅に減少させる。自通話音声信号は、ミュートされることなく、相手へ送信されて自通話音声は相手によって聴取される。
【００４５】
このように、この実施例の構成によれば、可変抵抗の調整により自通話音声信号の大きさを大幅に減衰させているから、マイクを手等で塞ぐことなしに、ハンズフリーの利便性を享受しつつ通話音声信号の相手への送信を阻止することができる。
この阻止は、自通話音声信号に対してのみ行われるものであるから、相手側の通話音声信号はイヤホンで変換し、その通話音声を聴取することができる。これは、複数人による通話の際に相手方の通話音声の聴取の妨げには少しもならないという効果を奏する。
また、可変抵抗の調整により自通話音声信号の大きさを大幅に減衰させているので、自通話音声信号の折り返しが無くなり、相手からの通話音声を明瞭に聴取することができる。
【実施例３】
【００４６】
図４は、この発明の実施例３である携帯電話機の発明特徴部分を詳細に示す図である。
この実施例の構成が、実施例１のそれと大きく異なる点は、イヤホンマイクセットの手元で音量調整をオペアンプで行うようにした点である。
すなわち、この実施例の携帯電話機１Ｂのイヤホンマイクセット１４Ｂは、図３に示すように、マイク１８１との信号線であるケーブル２２の芯線２２２にボリューム付きオペアンプ１８４を介設して構成される。
この構成以外のこの実施例の構成は、実施例１と同じであるので、同一の構成部分には同一の参照符号を付して、その逐一の説明は省略する。
【００４７】
次に、図４を参照して、この実施例の動作について説明する。
ユーザが、イヤホンマイクセット１４Ｂのインタフェース部１６のインタフェース１６１を携帯電話機本体１２の接続部に接続してオペアンプ１８４のボリュームを所定の値、例えば、中位程度の値にし、イヤホンマイクセット１４Ｂを用いての通話中に、その通話音声を相手に聞かせたくないとき、オペアンプ１８４のボリュームを通話音声の聞き取れない値、例えば、最小値に設定する。
これにより、マイク１８１の信号線から出力される自通話音声信号の大きさが、大幅に減少されるため、通話音声信号に対してミュート作用が働いて通話音声が相手に聴取されるのを防止し得る。
【００４８】
この実施例のミュート状態においても、相手からの通話音声信号は、オペアンプ１８４のボリュームの調整状態とは無関係にあるから、上記調整により何らの影響を受けることなく、イヤホン２０１に入力され、相手の通話音声を明瞭に聴取することができる。
このミュートを終了させたい場合には、オペアンプ１８４のボリュームを中位程度の値に増大させる。自通話音声信号は、ミュートされることなく、相手へ送信されて自通話音声は相手によって聴取される。
【００４９】
このように、この実施例の構成によれば、オペアンプのボリュームの調整により自通話音声信号の大きさを大幅に減少させているから、マイクを手等で塞ぐことなしに、ハンズフリーの利便性を享受しつつ通話音声信号の相手への送信を阻止することができる。
この阻止は、自通話音声信号に対してのみ行われるものであるから、相手側の通話音声信号はイヤホンで変換し、その通話音声を聴取することができる。これは、複数人による通話の際に相手方の通話音声の聴取の妨げには少しもならないという効果を奏する。
また、オペアンプのボリュームの調整により自通話音声信号の大きさを大幅に減少させているので、自通話音声信号の折り返しが無くなり、相手からの通話音声を明瞭に聴取することができる。
【実施例４】
【００５０】
図５は、この発明の実施例４である携帯電話機の発明特徴部分を詳細に示す図である。
この実施例の構成が、実施例１のそれと大きく異なる点は、ミュート手段たるスイッチを自通話音声信号のレベルに応じて開閉するようにした点である。
すなわち、この実施例の携帯電話機１Ｃのイヤホンマイクセット１４Ｃは、図５に示すように、マイク１８１の信号線であるケーブル２２の芯線２２２に介設されているミュートスイッチ１８２Ｃを自通話音声信号に応答して開閉させる制御回路３０を設けて構成される。
【００５１】
制御回路３０は、ミュートモード切替スイッチ３２と、音声信号レベル検出回路３４と、タイマ３６とで構成される。
ミュートモード切替スイッチ３２は、ミュート機能をオン／オフする。
音声信号レベル検出回路３４は、ミュートモード切替スイッチ３２がオンされてマイク１８１から出力されている音声信号のレベルが一定の値以下になると信号を出力する。
タイマ３６は、音声信号レベル検出回路３４から信号が出力されるとカウントをし始め、一定時間経過するとミュート機能オン信号を出力する。
【００５２】
また、タイマ３６の出力は、ミュート報知回路４０に接続されている。ミュート報知回路４０は、信号音発生回路４２と合成回路４４とから構成されている。
信号音発生回路４０は、ミュート報知信号を発生する。
合成回路４４は、ケーブル２２の芯線２２３に介設され、通話相手からの音声信号と信号音発生回路４２から供給されるミュート報知信号とを合成する。
この構成以外のこの実施例の構成は、実施例１と同じであるので、同一の構成部分には同一の参照符号を付して、その逐一の説明は省略する。
【００５３】
次に、図５を参照して、この実施例の動作について説明する。
ユーザが、イヤホンマイクセット１４Ｃのインタフェース部１６のインタフェース１６１を携帯電話機本体１２の接続部に接続して通話相手との会話において、自通話音声信号にミュートを掛けたくない場合には、ミュートモード切替スイッチ３２をオフにする。
上記通話相手との会話において、自通話音声信号にミュートを掛けたい場合には、ミュートモード切替スイッチ３２をオンにする。マイク１８１から出力される音声信号は、音声信号レベル検出回路３４に供給される。
その音声信号のレベルが、一定の値以下へ低下すると、音声信号レベル検出回路３４から信号が出力される。
【００５４】
この信号をタイマ３６が受け取ると、タイマ３６は、カウントをし始め、そのカウント開始から一定時間経過したとき、タイマ３６からミュート機能オン信号が出力される。
このミュート機能オン信号は、スイッチ１８２Ｃに供給されて芯線２２２を芯線２２１に接続してマイク１８１の出力間を短絡する。
これにより、マイク１８１の出力信号に対するミュート状態を生じさせる。かくして、周囲の余計な音や雑音は通話相手へ送られることは無くなる。
この効果は、特に、複数人同時通話時に、他の通話者の会話の邪魔防止に役立つ。
【００５５】
上記のミュート状態になると同時に、ミュート機能オン信号は、信号音発生回路４０に供給されて該回路４０からミュート報知信号が発生され、このミュート報知信号は、通話相手から受信する音声信号と合成回路４０で合成されて自己のイヤホン２０１に供給される。そのユーザは、イヤホン２０１からミュート状態にある旨を知らされる。
【００５６】
このように、この実施例の構成によれば、自通話音声信号のレベルに応じてスイッチの開閉を自動的に行い、マイクの出力間を短絡しているから、マイクを手等で塞ぐことなしに、ハンズフリーの利便性を享受しつつ周囲の余計な音や雑音は通話相手への送信を阻止することができる。
この阻止は、自通話音声信号に対してのみ行われるものであるから、相手側の通話音声信号はイヤホンで変換し、その通話音声を聴取することができる。これは、複数人による通話の際に相手方の通話の邪魔防止に役立つという効果を奏する。
また、自通話音声信号のレベルに応動するスイッチによりマイクの出力間を自動的に短絡しているので、自通話音声信号の折り返しが無くなり、相手からの通話音声を明瞭に聴取することができる。
【実施例５】
【００５７】
図６は、この発明の実施例５である携帯電話機の発明特徴部分を詳細に示す図である。
この実施例の構成が、実施例１のそれと大きく異なる点は、イヤホンマイクセットを無線で携帯電話機本体と接続するようにした点である。
すなわち、この実施例の携帯電話機１Ｄは、図６に示すように、ケーブル２２の芯線２２１、芯線２２２及び芯線２２３をＡ／Ｄ変換回路５２に接続し、Ａ／Ｄ変換回路５２の出力を無線回路５４に接続し、無線回路５４の出力をアンテナ５６に接続して構成される。
この構成以外のこの実施例の構成は、実施例１と同じであるので、同一の構成部分には同一の参照符号を付して、その逐一の説明は省略する。
【００５８】
次に、図６を参照して、この実施例の動作について説明する。
ユーザが、イヤホンマイクセット１４Ｄのスイッチ１８２を切替端子１８２２に接続し、イヤホンマイクセット１４Ｄを用いての通話中に、その通話音声を相手に聞かせたくないとき、スイッチ１８２を切替端子１８２１に接続する。
これにより、マイク１８１の信号線は、大地電位に接続されるため、通話音声信号はミュートされる。
したがって、通話音声信号は、Ａ／Ｄ変換回路５２、そして無線回路５４を経てアンテナ５６から携帯電話機本体へ送信されなくなり、その結果携帯電話機本体のアンテナから通話相手へ送信されなくなる。これにより、通話音声等が相手に聴取されるのを防止し得る。
【００５９】
このミュート状態においても、相手からの通話音声信号は、ミュートスイッチ１８２の上記切り替えとは無関係にあるから、上記切り替えにより何らの影響を受けることなく、イヤホン２０１に入力される相手の通話音声を明瞭に聴取することができる。
このミュートを終了させたい場合には、ミュートスイッチ１８２を切替接点１８２１側から切替接点１８２２側に切り替える。自通話音声信号は、ミュートされることなく、通話相手へ送信されて自通話音声は相手によって聴取される。
【００６０】
このように、この実施例の構成によれば、イヤホンマイクセットと携帯電話機本体とを無線で結ぶ場合にも、実施例１と同効を得ることができる。
【００６１】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、上記各実施例は、イヤホンマイクセットにミュート手段を設ける例を示しているが、携帯電話機本体の音声信号送受信手段の送信入力に同等の構成を接続してこの発明を実施するようにしてもよい。
ミュート手段は、マイクロホン等から出力される信号を消音させる回路であってもよい。
また、ミュート手段は、マイクロホン等の音声−電気変換器の変換機能自体の停止を行うものであってもよい。
【産業上の利用可能性】
【００６２】
ここに開示している電話装置及びイヤホンマイクセットは、携帯電話機以外の電話機等でも実施し得る。
【図面の簡単な説明】
【００６３】
【図１】この発明の実施例１である携帯電話機の電気的構成を示す図である。
【図２】同携帯電話機の発明特徴部分を詳細に示す図である。
【図３】この発明の実施例２である携帯電話機の発明特徴部分を詳細に示す図である。
【図４】この発明の実施例３である携帯電話機の発明特徴部分を詳細に示す図である。
【図５】この発明の実施例４である携帯電話機の発明特徴部分を詳細に示す図である。
【図６】この発明の実施例５である携帯電話機の発明特徴部分を詳細に示す図である。
【図７】従来の携帯電話機の電気的構成を示す図である。
【図８】同携帯電話機の発明特徴部分を詳細に示す図である。
【符号の説明】
【００６４】
１、１Ａ、１Ｂ、１Ｃ、１Ｄ      携帯電話機（電話装置）
１２      携帯電話機本体
１４、１４Ａ、１４Ｂ、１４Ｃ、１４Ｄ      イヤホンマイクセット
１８１      マイク（音−電気変換器）
１８２      スイッチ（ミュート手段、信号値可変手段）
１８３      可変抵抗（ミュート手段、信号値可変手段）
１８４      ボリューム付きオペアンプ（ミュート手段、信号値可変手段）
【図１】
2006174007.tif 000003
【図２】
2006174007.tif 000004
【図３】
2006174007.tif 000005
【図４】
2006174007.tif 000006
【図５】
2006174007.tif 000007
【図６】
2006174007.tif 000008
【図７】
2006174007.tif 000009
【図８】
2006174007.tif 000010